(57)【要約】      （修正有）【課題】入射角度に応じて進行方向を調整して光を透過させる光偏向機能を安定して発現することが可能な光偏向窓パネルを備える窓を提供する。【解決手段】窓１０は、入射角度に応じて進行方向を調整して光を透過させる光偏向窓パネル２０を備える。光偏向窓パネル２０は、建物１の開口部の少なくとも一部に対面する一の状態と、光偏向窓パネル２０が開口部に対面する位置からずれた別の状態とが切換え可能になっている。【選択図】図１
2016069990.tif 000002
【特許請求の範囲】
【請求項１】
入射角度に応じて進行方向を調整して光を透過させる光偏向窓パネルを備え、
前記光偏向窓パネルは、開口部の少なくとも一部を覆う位置に移動可能である、窓。
【請求項２】
前記光偏向窓パネルが前記開口部の少なくとも一部に対面する一の状態と、
前記光偏向窓パネルが前記開口部に対面する位置からずれた別の状態と、
が切換え可能になっている、請求項１に記載の窓。
【請求項３】
前記光偏向窓パネルを当該光偏向窓パネルのパネル面に沿ってスライドさせることで、前記一の状態と前記別の状態とが切換え可能になっている、請求項２に記載の窓。
【請求項４】
前記開口部に対して可動に設けられた透明窓パネルをさらに備え、
前記光偏向窓パネルが前記開口部の或る一部を覆い、且つ、前記透明窓パネルが前記開口部の別の一部を覆う状態と、
前記光偏向窓パネルが前記開口部の前記別の一部を覆い、且つ、前記透明窓パネルが前記開口部の前記或る一部を覆う状態と、
が切換え可能になっている、請求項１に記載の窓。
【請求項５】
前記光偏向窓パネルを保持する枠材と、
前記枠材を可動に保持する枠ホルダ−と、
をさらに備える、請求項１乃至４のいずれか一項に記載の窓。
【請求項６】
入射角度に応じて進行方向を調整して光を透過させる光偏向窓パネルを、当該光偏向窓パネルが前記開口部の少なくとも一部に対面する一の状態と、当該光偏向窓パネルが前記開口部に対面する位置からずれた別の状態と、が切換え可能となるように、開口部に対して可動に設置する、光偏向窓パネルの設置方法。
【発明の詳細な説明】
【技術分野】
【０００１】
本発明は、入射角度に応じて進行方向を調整して光を透過させる光偏向窓パネルを備える窓に関する。また、本発明は、この光偏向窓パネルの設置方法に関する。
【背景技術】
【０００２】
屋内への直達光の到達を妨げながら、採り込んだ外光を照明光として利用する採光技術の開発が進められている。例えば、特許文献１には、建物の窓を選択的に覆うように設置される偏向層付きロールカーテンが開示されている。特許文献１に記載のロールカーテンでは、ロール布に、水平方向に延びる偏向層を鉛直方向に間隔を空けて貼り付けている。各偏向層は、水平方向に対して上方に傾斜した方向から入射する外光を天井に向けて跳ね上げるよう構成されている。特許文献１に記載のロールカーテンによれば、ロール布の繰り出し量を調整して偏向層が窓を覆う程度を変更させることで、直達光の抑制効果と外光による照明効果とを調整することが可能となる。
【先行技術文献】
【特許文献】
【０００３】
【特許文献１】特開２０１２−２２４９７５号公報
【発明の概要】
【発明が解決しようとする課題】
【０００４】
しかしながら、偏向層付きロールカーテンを用いる場合、風の影響や物理的な接触によってロール布がゆらされると、偏向層により跳ね上げられる光の方向が乱れてしまう。このため、偏向層付きロールカーテンでは、偏向機能を安定して発現することができなかった。
【０００５】
このような不具合を克服すべく、上下方向に配列されたブラインドの各スラットに、水平方向に延びる偏向層をストライプ状に貼り付けることも考えられる。しかしながら、この場合であっても、ブラインド全体あるいはスラットがゆらされると、偏向層により跳ね上げられる光の方向が乱れてしまい、やはり偏向機能を安定して発現することができない。
【０００６】
本発明は以上の点を考慮してなされたものであり、偏向機能を安定して発現することが可能な可動の光偏向窓パネルを備えた窓及びこの光偏向窓パネルの設置方法を提供することを目的とする。
【課題を解決するための手段】
【０００７】
本発明による窓は、入射角度に応じて進行方向を調整して光を透過させる光偏向窓パネルを備え、前記光偏向窓パネルは、開口部の少なくとも一部を覆う位置に移動可能である。
【０００８】
本発明による窓において、前記光偏向窓パネルが前記開口部の少なくとも一部に対面する一の状態と、前記光偏向窓パネルが前記開口部に対面する位置からずれた別の状態と、が切換え可能になっていてもよい。
【０００９】
本発明による窓において、前記光偏向窓パネルを当該光偏向窓パネルのパネル面に沿ってスライドさせることで、前記一の状態と前記別の状態とが切換え可能になっていてもよい。
【００１０】
本発明による窓において、前記開口部に対して可動に設けられた透明窓パネルをさらに備え、前記光偏向窓パネルが前記開口部の或る一部を覆い、且つ、前記透明窓パネルが前記開口部の別の一部を覆う状態と、前記光偏向窓パネルが前記開口部の前記別の一部を覆い、且つ、前記透明窓パネルが前記開口部の前記或る一部を覆う状態と、
が切換え可能になっていてもよい。
【００１１】
本発明による窓は、前記光偏向窓パネルを保持する枠材と、前記枠材を可動に保持する枠ホルダ−と、をさらに備えてもよい。
【００１２】
本発明による光偏向窓パネルの設置方法は、入射角度に応じて進行方向を調整して光を透過させる光偏向窓パネルを、当該光偏向窓パネルが前記開口部の少なくとも一部に対面する一の状態と、当該光偏向窓パネルが前記開口部に対面する位置からずれた別の状態と、が切換え可能となるように、開口部に対して可動に設置する。
【発明の効果】
【００１３】
本発明によれば、窓が可動で剛性のある光偏向窓パネルを備るため、風や物理的な接触によっても光偏向窓パネルがゆらされ難い。このため、光偏向窓パネルによる偏向機能を安定して調整することが可能となる。
【００１４】
また、本発明による光偏向窓パネルの設置方法によれば、光偏向窓パネルが開口部の少なくとも一部に対面する一の状態と、光偏向窓パネルが開口部に対面する位置からずれた別の状態と、が切換え可能となるため、光偏向窓パネルによる偏向機能を安定して切り換えることができる。このため、光偏向窓パネルによる偏向機能が安定して発現され得る。
【図面の簡単な説明】
【００１５】
【図１】本発明の第１の実施の形態による窓を示す斜視図。
【図２】図１に示す窓の断面図。
【図３】図１に示す光偏向窓パネルの断面図。
【図４】図１に示す窓の利用方法の一例を説明するための図であって、窓の第１の状態を示す断面図。
【図５】図１に示す窓の利用方法の一例を説明するための図であって、図４示す状態から光偏向窓パネルを移動させた状態を示す断面図。
【図６】図１に示す窓の作用を説明するための図であって、図５示す状態から光偏向窓パネルをさらに移動させた状態を示す断面図。
【図７】本発明の第２の実施の形態による窓を示す斜視図。
【図８】図７に示す窓の断面図。
【図９】図７に示す窓の作用を説明するための図であって、図７示す状態から、光偏向窓パネルと透明窓パネルとを入れ換えた状態を示す断面図。
【図１０】本発明の第３の実施の形態による窓を示す図であって、光偏向窓パネルが建物の開口部に対面する位置からずれた状態を示す斜視図。
【図１１】本発明の第３の実施の形態による窓を示す図であって、光偏向窓パネルが建物の開口部に対面する位置に配置された状態を示す斜視図。
【発明を実施するための形態】
【００１６】
≪第１の実施の形態≫
以下、図面を参照して本発明の第１の実施の形態について説明する。なお、本件明細書に添付する図面においては、図示と理解のしやすさの便宜上、適宜縮尺および縦横の寸法比等を、実物のそれらから変更し誇張してある。
【００１７】
なお、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００１８】
さらに、「パネル面」とは、対象となるパネル状の部材を全体的かつ大局的に見た場合において対象となる板状部材の平面方向と一致する面のことを指す。以下に説明する本実施の形態においては、光偏向窓パネル２０のパネル面と、第１の透明窓パネル３０のパネル面と、第２の透明窓パネル４０のパネル面とは、互いに平行となっている。また、窓パネルの法線方向とは、当該窓パネルのパネル面への法線方向を意味する。
【００１９】
図１乃至６は、本発明による第１の実施の形態を説明するための図である。このうち図１及び図２は、それぞれ、光偏向窓パネル２０を含む窓１０を示す斜視図及び断面図である。なお、以下に説明する窓１０とは、有体物に設けられた開口に設置される部材をいい、窓装置や窓ユニットとも呼ばれ得る。
【００２０】
図１及び図２に示すように、屋外Ｓ１と屋内Ｓ２とを区画する建物１の壁２に、開口部３が設けられていて、この開口部３に窓１０が設置されている。窓１０は、屋外Ｓ１側から屋内Ｓ２側に向かってずれた位置に、光偏向窓パネル２０、第１の透明窓パネル３０及び第２の透明窓パネル４０をこの順で有している。各窓パネル２０、３０、４０は、枠材２５、３５、４５に保持されており、壁２に固定された枠ホルダ−６０によってそれぞれ可動に保持されている。図１及び図２に示す形態によれば、窓１０が可動で剛性のある光偏向窓パネル２０を備るため、風や物理的な接触によっても光偏向窓パネルがゆらされ難い。このため、光偏向窓パネル２０による偏向機能を安定して調整することが可能となる。
【００２１】
光偏向窓パネル２０は、屋外Ｓ１からの外光の光路を調整して屋内Ｓ２に採り込む機能をもつ。この光偏向窓パネル２０の構成については図３を参照して後に詳述する。これに対して、各透明窓パネル３０、４０は、入射する光の進行方向を維持したままで屋外Ｓ１からの光を屋内Ｓ２に採り込むことが意図されている。本実施の形態では、３つの窓パネル２０、３０、４０は、そのパネル面が互いに平行となるように配置されている。また、各窓パネル２０、３０、４０は、その法線方向からみたときに矩形の輪郭をもつ。
【００２２】
また、各窓パネル２０、３０、４０は、各々に対応する枠材２５、３５、４５に設けられた溝（不図示）に嵌め込まれている。この場合、各窓パネル２０、３０、４０の周縁は、対応する枠材２５、３５、４５に覆われ、周縁以外の領域は、枠材２５、３５、４５から露出する。
【００２３】
枠ホルダ−６０は、各々に対応する枠材２５、３５、４５を案内する複数のレール６１、６２、６３を有している。本実施の形態では、光偏向窓パネル２０を保持する偏向用枠材２５が、偏向用レール６１に案内され、第１の透明窓パネル３０を保持する第１の枠材３５が、第１のレール６２に案内され、第２の透明窓パネル４０を保持する第２の枠材４５が、第２のレール６３に案内される。
【００２４】
図２に示すように、３つのレール６１、６２、６３は、３つの窓パネル２０の配置に対応して、屋外Ｓ１側から屋内Ｓ２側に並べられている。各レール６１、６２、６３は、光偏向窓パネル２０のパネル面に平行な一軸方向ｄ１に延びている。このような構成によれば、各窓パネル２０、３０、４０が、対応するレール６１、６２、６３に沿って一軸方向ｄ１に移動可能となる。本実施の形態では、一軸方向ｄ１は水平方向と平行になっている。
【００２５】
とりわけ、図２から理解されるように、第１のレール６２及び第２のレール６３は、開口部３内で壁２の間に掛け渡されている。したがって、第１の透明窓パネル３０及び第２の透明窓パネル４０は、開口部３内で壁２の間を移動する。これに対して、偏向用レール６１は、壁２よりも屋外Ｓ１側に位置し、開口部３に対面する領域から壁２に対面する領域まで延びている。したがって、光偏向窓パネル２０は、開口部３に対面した第１の位置Ｐ１及び第２の位置Ｐ２（図５参照）と、開口部３からずれて壁２に対面した第３の位置Ｐ３と、の間を移動する（図６参照）。
【００２６】
これら各透明窓パネル３０、４０、各枠材２５、３５、４５及び枠ホルダ−６０は、従来から窓に用いられてきたそれ自体既知のものからなる。例えば、各透明窓パネル３０、４０をなす材料として、ガラス、アクリル樹脂、ポリエチレンテレフタレート樹脂（ＰＥＴ）、ポリカーボネート樹脂（ＰＣ）が挙げられる。一方、各枠材２５、３５、４５や枠ホルダ−６０をなす材料として、樹脂やアルミのような金属が挙げられる。
【００２７】
次に、上述した光偏向窓パネル２０の一例について図３を参照して説明する。図３は、図１に示す光偏向窓パネル２０の一例を示す縦断面である。図３に示すように、光偏向窓パネル２０は、透明窓材２１と、透明窓材２１に積層された偏向シート２２と、を有している。偏向シート２２は、接合層２３を介して透明窓材２１に貼り付けられている。
【００２８】
偏向シート２２は、入射角度θ１〜θ３に応じて進行方向を調整して光Ｌ３１〜Ｌ３３を透過させる機能をもつ。図３に示すように、偏向シート２２は、光偏向窓パネル２０の移動方向である一軸方向ｄ１と交差して光偏向窓パネル２０のパネル面内を延びる配列方向ｄ２に沿って、交互に繰り返し並べられた複数の第１領域２２１及び複数の第２領域２２２を有している。本実施の形態において、一軸方向ｄ１は、配列方向ｄ２に直交している。上述のように、一軸方向ｄ１は、水平方向と平行になっているため、配列方向ｄ２は、鉛直方向と平行になっている。
【００２９】
また、各第１領域２２１及び各第２領域２２２は、光偏向窓パネル２０のパネル面と平行で一軸方向ｄ１と非平行な方向に延びている。本実施の形態では、第１領域２２１及び第２領域２２２の延びる方向となる長手方向は、配列方向ｄ２に直交しており、前記一軸方向ｄ１と一致している。
【００３０】
また、偏向シート２２は、第１領域２２１及び第２領域２２２に積層されたシート状のランド部２２３をさらに含んでいる。このランド部２２３は、第２領域２２２と一体的に形成されており、第２領域２２２とともに本体部２２４を形成している。言い換えると、偏向シート２２は、一軸方向ｄ１に平行な長手方向をもつ複数の溝２２４ａを配列方向ｄ２に並べて形成された本体部２２４を有し、本体部２２４の複数の溝２２４ａ内にそれぞれ第２領域２２２が配置されている。そして、本体部１４のうちの隣り合う溝２２４ａの間の部分が、第１領域２２１を画定している。
【００３１】
本実施の形態において、第１領域２２１乃至本体部２２４をなす樹脂材料は、第２領域２２２をなす樹脂材料よりも屈折率の大きい材料からなる。このため、第１領域２２１と第２領域２２２との境界に、屈折率差をもつ反射機能面２２５が形成されている。上述のように、複数の第１領域２２１と複数の第２領域２２２とは、配列方向ｄ２に交互に繰り返し配列されている。したがって、複数の反射機能面２２５は、配列方向ｄ２に沿って配列されることになる。本明細書でいう反射機能面２２５とは、光偏向窓パネル２０に取り込まれることが意図された光に対して全反射作用を及ぼすことが期待された面をいう。典型的には、反射機能面２２５は、光偏向窓パネル２０の法線方向ｎｄに対して一側に傾斜した方向から入射する光Ｌ３１、Ｌ３２の少なくとも一部を反射させて、法線方向ｎｄに対して一側に傾斜した方向に向かうように出射させる、あるいは、法線方向ｎｄに対してなす角度が小さくなるようにして当該法線方向ｎｄに対して他側に傾斜した方向に向かうように出射させるようになっている。本実施の形態において、反射機能面２２５の配列方向は、鉛直方向に一致し、鉛直方向における上方（紙面の上方）から降り注ぐ太陽光Ｌ３１、Ｌ３２を反射機能面２２５で反射させることが意図されている。したがって、本実施の形態では、第１領域２２１と、当該第１領域２２１と鉛直方向における下側（紙面における下側）で隣接する第２領域２２２との境界が反射機能面２２５をなす。一例として、反射機能面２２５のピッチ、つまり隣り合う反射機能面２２５の間隔は、２０μｍ〜１０００μｍ程度に設定される。
【００３２】
図３に示す反射機能面２２５によれば、偏向シート２２への入射角度θ１、θ２が大きい光Ｌ３１、Ｌ３２を反射機能面２２５で反射して屋内Ｓ２の天井に向かわせることができる。一方、偏向シート２２への入射角度θ３が小さい光Ｌ３３を、進行方向を維持したまま透過させることができる。すなわち、反射機能面２２５によれば、入射角度θ１〜θ３に応じて進行方向を調整して光Ｌ３１〜Ｌ３３を透過させることができるため、直達光の到達を防止しながら室内Ｓ１に光Ｌ３１〜Ｌ３３を有効に取り込むことが可能となる。なお、偏向シート２２への入射角度θ１〜θ３とは、偏向シート２２に入射する光Ｌ３１〜Ｌ３３が偏向シート２２への法線方向に対してなす角度をいう。
【００３３】
このような第１領域２２１及びランド部２２３は、同一の材料を用いて一体的に形成され得る。第１領域２２１及びランド部２２３をなす材料として、例えば、樹脂材料、とりわけ電離放射線の照射により硬化する電離放射線硬化性樹脂材料を用いることができる。電離放射線硬化性樹脂としては、紫外線硬化性樹脂、電子線硬化性樹脂、可視光線硬化性樹脂、近赤外線硬化性樹脂等が挙げられる。一方、第１領域２２１よりも屈折率の低い材料からなる第２領域２２２としては、例えば、電離放射線により硬化する特徴を有したウレタンアクリレート等の硬化性材料を用いることができる。あるいは、第２領域２２２は、空気からなってもよい。第２領域２２２が空気からなる例については、特開２０１１−２２７１２０号公報や特表２０１３−５１４５４９号公報に記載されているため、ここでは詳細な説明を省略する。
【００３４】
偏向シート２２は、接合層２３を介して透明窓材２１に接合されている。接合層２３としては、例えば、アクリル系、ウレタン系、シリコン系、ゴム系等の粘着剤からなる層を用いることができる。また、透明窓材２１をなす材料として、上述の透明窓パネル３０、４０をなす材料と同様なものを利用することができる。なお、光偏向窓パネル２０に求められる剛性を確保する観点から、透明窓材２１の厚みは、例えば１ｍｍ〜４０ｍｍ程度に設定され得る。
【００３５】
このような偏向シート２２を含む光偏向窓パネル２０を用いることにより、直達光が屋内Ｓ２へ到達することを抑制しながら、取り込んだ外光を照明光として利用することができる。また、光偏向窓パネル２０は、その偏光機能ゆえに、屋外Ｓ１から屋内Ｓ２を観察したときに、屋内Ｓ２が視認され難くなり隠蔽効果を発揮する。その反面、屋内Ｓ２から屋外Ｓ１を観察すると、屋外Ｓ１の景色が視難くなり不都合が生じる場合もある。そこで、このような不都合を克服するべく、本実施の形態の窓１０は、一例として、図４乃至図６に示すような利用方法を採用している。図４乃至図６は、光偏向窓パネル２０を異なる位置に配置した各状態を示す断面図である。図４乃至図６において、第１の枠材３５と第２の枠材４５とがロックされ、第１の透明窓パネル３０と第２の透明窓パネル４０とで開口部３が塞がれている。
【００３６】
図４に示す或る第１の状態Ｃ１では、光偏向窓パネル２０が、開口部３の一部に対面する或る第１の位置Ｐ１に配置されている。第１の状態Ｃ１では、光偏向窓パネル２０の法線方向ｎｄからみたときに、光偏向窓パネル２０と第２の透明窓パネル４０とが重なっている。したがって、第２の透明窓パネル４０に対面した屋内Ｓ２の領域にいる観察者Ｏは、光偏向窓パネル２０越しに屋外Ｓ１を観察することになる。この場合、特に日中の日差しが強い場合には、第２の透明窓パネル４０に対面した屋内Ｓ２にいる観察者Ｏに防眩機能を発現しながら、取り込んだ外光を照明光として利用することができる。
【００３７】
図４に示す状態から、光偏向窓パネル２０を一軸方向ｄ１に沿ってスライドさせ、図５に示す状態に切り換える。図５に示す第２の状態Ｃ２では、光偏向窓パネル２０が、開口部３の別の一部に対面する第２の位置Ｐ２に配置されている。第２の状態Ｃ２では、光偏向窓パネル２０の法線方向ｎｄからみたときに、光偏向窓パネル２０と第１の透明窓パネル３０とが重なっている。したがって、第１の透明窓パネル３０に対面した屋内Ｓ２の領域において、外光を利用した防眩機能及び照明機能を発現することができる。その一方で、第２の透明窓パネル４０に対面した屋内Ｓ２の領域にいる観察者Ｏは、第２の透明窓パネル４０越しに屋外Ｓ１をはっきりと観察することができる。
【００３８】
さらに、図５に示す状態から、光偏向窓パネル２０を一軸方向ｄ１に沿ってスライドさせ、図６に示す状態に切り換える。図６に示す第３の状態Ｃ３では、光偏向窓パネル２０が、開口部３からずれて壁２に対面する第３の位置Ｐ３に配置されている。第３の状態Ｃ３では、壁２に固定された収納部７０に、第３の位置Ｐ３に位置する光偏向窓パネル２０が収容されている。図６に示す収納部７０は、光偏向窓パネル２０の大きさに対応した大きさの収容空間７１を有している。収納部７０が第３の位置Ｐ３に位置する光偏向窓パネル２０を収容空間７１内に収容することで、光偏向窓パネル２０を隠すと共に、雨やほこりから光偏向窓パネル２０を保護することもできる。
【００３９】
その上、第３の状態Ｃ３において、第２の透明窓パネル４０に対面した屋内Ｓ２の領域にいる観察者Ｏは、第２の透明窓パネル４０越しに屋外Ｓ１をはっきりと観察することができる。また、第１の透明窓パネル３０に対面した屋内Ｓ２の領域も、第１の透明窓パネル３０越しにはっきりと観察することができる。
【００４０】
以上のように、本実施の形態によれば、入射角度θ１〜θ３に応じて進行方向を調整して光Ｌ３１〜Ｌ３３を透過させる光偏向窓パネル２０を備え、光偏向窓パネル２０は、開口部３の少なくとも一部を覆う位置Ｐ１、Ｐ２に移動可能である。このような形態によれば、窓１０が可動で剛性のある光偏向窓パネル２０を備えるため、風や物理的な接触によっても光偏向窓パネル２０がゆらされ難い。このため、光偏向窓パネル２０による偏向機能を安定して発現することが可能となる。
【００４１】
また、本実施の形態によれば、光偏向窓パネル２０が開口部３の少なくとも一部に対面する一の状態Ｃ１、Ｃ２と、光偏向窓パネル２０が開口部３に対面する位置Ｐ１、Ｐ２からずれた別の状態Ｃ３と、が切換え可能になっている。このような形態によれば、光偏向窓パネル２０による偏向機能を安定して切り換えることができる。このため、光偏向窓パネル２０による偏向機能が安定して発現され得る。
【００４２】
また、本実施の形態によれば、光偏向窓パネル２０を当該光偏向窓パネル２０のパネル面に沿った一軸方向ｄ１にスライドさせることで、一の状態Ｃ１、Ｃ２と別の状態Ｃ３とが切換え可能になっている。この場合、一の状態Ｃ１、Ｃ２においては、光偏向窓パネル２０の法線方向ｎｄからみたときに、光偏向窓パネル２０が開口部３と重なる。このため、一の状態Ｃ１、Ｃ２においては、開口部３及び光偏向窓パネル２０越しに、光偏向窓パネル２０による偏向機能が発現される。一方、別の状態Ｃ３においては、光偏向窓パネル２０の法線方向ｎｄからみたときに、光偏向窓パネル２０が開口部３と重ならずにズレることになる。このため、別の状態Ｃ３においては、開口部３越しに、光偏向窓パネル２０による偏向機能が発現されない。すなわち、このような形態によれば、一の状態Ｃ１、Ｃ２と別の状態Ｃ３との間で、光偏向窓パネル２０による偏向機能の発現をよりはっきりと切り換えることが可能となる。
【００４３】
また、本実施の形態によれば、光偏向窓パネル２０を保持する枠材２５と、枠材２５を可動に保持する枠ホルダ−６０と、をさらに備える。この場合、剛性のある枠材２５が光偏向窓パネル２０を安定して保持するため、光偏向窓パネル２０の配置がさらに安定する。このため、光偏向窓パネル２０による偏向機能をさらに安定して発現することが可能となる。
【００４４】
次に、このような光偏向窓パネル２０の設置方法について説明する。本設置方法によれば、光偏向窓パネル２０を、当該光偏向窓パネル２０が開口部３の少なくとも一部に対面する一の状態Ｃ１、Ｃ２と、当該光偏向窓パネル２０が開口部３に対面する位置Ｐ１、Ｐ２からずれた別の状態Ｃ３と、が切換え可能となるように、開口部３に対して可動に設置する設置方法が提供される。このような設置方法によれば、光偏向窓パネル２０が開口部３の少なくとも一部に対面する一の状態Ｃ１、Ｃ２と、光偏向窓パネル２０が開口部３に対面する位置Ｐ１、Ｐ２からずれた別の状態Ｃ３と、が切換え可能となるため、光偏向窓パネル２０による偏向機能を安定して切り換えることができる。このため、光偏向窓パネル２０による偏向機能が安定して発現され得る。
【００４５】
≪変形例≫
なお、上述した実施の形態に対して様々な変更を加えることが可能である。例えば、上述した実施の形態では、図２に示すように、光偏向窓パネル２０及び収納部７０が屋外Ｓ１側に配置された例を示したが、光偏向窓パネル２０及び収納部７０の配置は、このような例に限定されない。他の例として、光偏向窓パネル２０及び収納部７０が、屋内Ｓ２側に配置されていてもよい。すなわち、光偏向窓パネル２０が、第１の透明窓パネル３０及び第２の透明窓パネル４０よりも屋内Ｓ２側に配置されていて、収納部７０が壁２よりも屋内Ｓ２側に配置されていてもよい。
【００４６】
また、窓１０は、光偏向窓パネル２０に加えて、なんらかの光学作用を及ぼす機能パネルをさらに有していてもよい。一例として、窓１０は、光偏向窓パネル２０に加えて、雨戸のような遮光パネルをさらに有していてもよい。光偏向窓パネル２０に加えて遮光パネルも収納部７０に収容される場合、光偏向窓パネル２０と遮光パネルとが同時に収納部７０に収納可能になっていてもよいし、光偏向窓パネル２０と遮光パネルとのいずれか一方のみが選択的に収納部７０に収納可能になっていてもよい。このように、本実施の形態による窓１０について種々の利用態様が想定され得る。
【００４７】
また、上述した実施の形態では、図２に示すように、収納部７０が第３の位置Ｐ３に位置する光偏向窓パネル２０を取り囲んで収容する例を示したが、収納部７０の形態は、このような例に限定されない。収納部７０は、光偏向窓パネル２０を収容する収容空間７１を有していればよい。他の例として、壁２に設けられた溝によって収容空間７１が規定され、収納部７０が溝内に収容されるようになっていてもよい。
【００４８】
また、上述した実施の形態では、図２に示すように、収納部７０が開口部３に対して紙面における右側に配置された例を示したが、収納部７０の配置は、このような例に限定されない。他の例として、図２において、収納部７０が開口部３に対して紙面における左側、上側あるいは下側に配置されていてもよい。なお、収納部７０が開口部３に対して紙面における上側や下側に配置された場合、偏向用レール６１は、水平方向ではなく上下方向に光偏向窓パネル２０を案内するようになる。
【００４９】
また、上述した実施の形態では、図３に示すように、偏向シート２２において、第１領域２２１と第２領域２２２との境界に、屈折率差をもつ反射機能面２２５が形成された例を示したが、反射機能面２２５の構成は、上述した例に限定されない。反射機能面２２５の形態は、光偏向窓パネル２０に取り込まれることが意図された光に対して全反射作用を及ぼすことが期待された面であれば特に限定されない。例えば、偏向シート２２の屋内Ｓ２側の面に配列方向ｄ２に沿って複数の単位プリズムが配列され、単位プリズムの配列方向ｄ２に対向する２つの面のうちの一方が反射機能面として機能してもよい。
【００５０】
また、上述した実施の形態では、単一の光偏向窓パネル２０が収納部７０に収容される例を示したが、このような例に限定されない。複数の光偏向窓パネル２０が収納部７０に収納可能になっていてもよい。一例として、複数の光偏向窓パネル２０が偏向用レール６１に並べて嵌め込まれていてもよい。この場合、複数の光偏向窓パネル２０を互いに重ならないようにずらして配置した際に、開口部３の全域を覆うようになっているのが好ましい。また、複数の光偏向窓パネル２０が単一の収納部７０にまとめて収納される例に限定されない。複数の収納部７０が各々に対応する光偏向窓パネル２０を収容するように設けられていてもよい。
【００５１】
さらに、屋外Ｓ１側及び屋内Ｓ２側の両側に、それぞれ、１つまたは複数の光偏向窓パネル２０が配置されていてもよい。この場合、屋外Ｓ１側及び屋内Ｓ２側の両側に、それぞれ、１つまたは複数の光偏向窓パネル２０を収容する収納部７０が設けられていてもよい。
【００５２】
≪第２の実施の形態≫
次に、図７乃至図９を参照して、本発明の第２の実施の形態について説明する。図７乃至図９は、本発明の第２の実施の形態による窓１０を示す図である。図７乃至図９を参照して説明する第２の実施の形態は、光偏向窓パネル２０の配置が異なるが、その他の構成は、第１の実施形態と同様に構成することができる。第２の実施の形態に関する以下の説明および以下の説明で用いる図面では、上述した第１の実施の形態と同様に構成され得る部分について、上述の第１の実施の形態における対応する部分に対して用いた符号と同一の符号を用いることとし、重複する説明を省略する。
【００５３】
図７乃至図９に示す窓１０は、図１に示す窓１０に対して、光偏向窓パネル２０と第２の透明窓パネル４０の位置に配置し、第２の透明窓パネル４０を除いた形態に対応している。したがって、図７乃至図９に示す窓１０は、屋外Ｓ１側から屋内Ｓ２側に向かってずれた位置に、透明窓パネル３０及び光偏向窓パネル２０をこの順で有している。
【００５４】
とりわけ、図８及び図９から理解されるように、偏向用レール６１及びレール６３は、開口部３内で壁２の間に掛け渡されている。したがって、光偏向窓パネル２０及び透明窓パネル３０は、開口部３内で壁２の間を移動する。
【００５５】
次に、以上のような構成からなる本実施の形態の窓１０の利用方法の一例について説明する。
【００５６】
図８に示す状態Ｃ４では、光偏向窓パネル２０が、開口部３の或る一部を覆い、透明窓パネル３０が、開口部３の残りの部分を覆っている。この場合、光偏向窓パネル２０に対面した屋内Ｓ２の領域ａ１において、外光を利用した防眩機能及び照明機能を発現することができる。その一方で、透明窓パネル３０に対面した屋内Ｓ２の領域ａ２を、透明窓パネル３０越しにはっきりと観察することができる。
【００５７】
図８に示す状態から、光偏向窓パネル２０及び透明窓パネル３０を一軸方向ｄ１に沿ってスライドさせ、図９に示す状態Ｃ５に切り換える。図９に示す状態Ｃ５では、透明窓パネル３０が、開口部３の前記或る一部を覆い、光偏向窓パネル２０が、開口部３の残りの部分を覆っている。この場合、透明窓パネル３０に対面した屋内Ｓ２の領域ａ１を、透明窓パネル３０越しにはっきりと観察することができる。その一方で、光偏向窓パネル２０に対面した屋内Ｓ２の領域ａ２において、外光を利用した防眩機能及び照明機能を発現することができる。
【００５８】
以上のように、本実施の形態によれば、開口部３に対して可動に設けられた光偏向窓パネル２０及び透明窓パネル３０を備え、光偏向窓パネル２０が開口部３の或る一部を覆い、且つ、透明窓パネル３０が開口部３の別の一部を覆う状態Ｃ４と、光偏向窓パネル２０が開口部３の前記別の一部を覆い、且つ、透明窓パネル３０が開口部３の前記或る一部を覆う状態Ｃ５と、が切換え可能になっている。このような形態によれば、光偏向窓パネル２０による偏向機能を安定して切り換えることができる。このため、光偏向窓パネル２０による偏向機能が安定して発現され得る。
【００５９】
≪第３の実施の形態≫
次に、図１０及び図１１を参照して、本発明の第３の実施の形態について説明する。図１０及び図１１は、本発明の第３の実施の形態による窓１０を示す斜視図である。図１０及び図１１を参照して説明する第３の実施の形態は、図１に示す光偏向窓パネル２０を含む窓１０を、いわゆるすべり出し窓に適用した例である。第３の実施の形態に関する以下の説明および以下の説明で用いる図面では、上述した第１の実施の形態と同様に構成され得る部分について、上述の第１の実施の形態における対応する部分に対して用いた符号と同一の符号を用いることとし、重複する説明を省略する。
【００６０】
図１０及び図１１に示す窓１０は、建物１の開口部３を塞ぐようにして透明窓パネル３０が設置されている。透明窓パネル３０は、当該透明窓パネル３０を取り囲むようにして開口部３に設置された枠ホルダ−６０によって保持されている。枠ホルダ−６０は、光偏向窓パネル２０を保持する偏向用枠材２５を回動可能に保持している。図１０及び図１１に示す例では、反射機能面２２５の配列方向ｄ２と平行な上下方向に延びる回動軸Ｒを中心として、枠ホルダ−６０に、偏向用枠材２５が枢着されている。したがって、回動軸Ｒを中心として偏向用枠材２５を回動させることで、光偏向窓パネル２０が開口部３に対面する一の状態Ｃ６（図１１参照）と、光偏向窓パネル２０が開口部３に対面する位置からずれた別の状態Ｃ７（図１０参照）と、が切換え可能になっている。
【００６１】
以上のように、本実施の形態によれば、入射角度θ１〜θ３に応じて進行方向を調整して光Ｌ３１〜Ｌ３３を透過させる光偏向窓パネル２０を備え、光偏向窓パネル２０は、開口部３の少なくとも一部を覆う位置に移動可能である。このような形態によれば、窓１０が可動で剛性のある光偏向窓パネル２０を備えるため、風や物理的な接触によっても光偏向窓パネル２０がゆらされ難い。このため、光偏向窓パネル２０による偏向機能を安定して発現することが可能となる。
【００６２】
また、本実施の形態によれば、光偏向窓パネル２０が開口部３の少なくとも一部に対面する一の状態Ｃ６と、光偏向窓パネル２０が開口部３に対面する位置からずれた別の状態Ｃ７と、が切換え可能になっている。このような形態によれば、光偏向窓パネル２０による偏向機能を安定して切り換えることができる。このため、光偏向窓パネル２０による偏向機能が安定して発現され得る。
【００６３】
なお、第１乃至第３の実施の形態に示した窓１０の構成は、一例にすぎない。有体物の開口部に設置される窓である限り、いかなる態様であっても適用可能である。他の例として、いわゆる両開き窓（観音開き窓）や排煙窓などが挙げられる。
【００６４】
なお、以上において上述した実施の形態に対するいくつかの変形例を説明してきたが、当然に、複数の変形例を適宜組み合わせて適用することも可能である。
【符号の説明】
【００６５】
１    建物
２    壁
３    開口部
１０  窓
２０  光偏向窓パネル
２５  偏向用枠材
３０  透明窓パネル
３５  枠材
４０  透明窓パネル
４５  枠材
６０  枠ホルダ−
７０  収納部
【図１】
2016069990.tif 000003
【図２】
2016069990.tif 000004
【図３】
2016069990.tif 000005
【図４】
2016069990.tif 000006
【図５】
2016069990.tif 000007
【図６】
2016069990.tif 000008
【図７】
2016069990.tif 000009
【図８】
2016069990.tif 000010
【図９】
2016069990.tif 000011
【図１０】
2016069990.tif 000012
【図１１】
2016069990.tif 000013